(57)【要約】【課題】外部バッテリー装置に装着された電池に関して、模倣電池の使用による不調や故障を未然に防ぐ電子機器を提供すること。【解決手段】電池の電力で動作可能な構成を有し、外部バッテリー装置を装着可能な電子機器であって、外部バッテリー装置が装着されていることを検知する検知手段と、電池と通信を行う通信手段とユーザインタフェース手段とを備え、前記検知手段が外部バッテリー装置との装着を検知しても、前記通信手段が電池と通信できない場合は、前記ユーザインタフェース手段を介して、ユーザに外部バッテリー装置をしっかり取り付けるように通知する外部バッテリー装置装着通知手段を持つことを特徴とする。【選択図】図３
2016054615.tif 000002
【特許請求の範囲】
【請求項１】
電池の電力で動作可能な構成を有し、
外部バッテリー装置を装着可能な電子機器であって、
外部バッテリー装置が装着されていることを検知する検知手段（Ｓ３０１）と、
電池と通信を行う通信手段（Ｓ３０２、Ｓ３０５）と、
ユーザインタフェース手段（２８）と、
を備え、
前記検知手段が外部バッテリー装置との装着を検知しても、
前記通信手段が電池と通信できない場合は、前記ユーザインタフェース手段を介して、
ユーザに外部バッテリー装置をしっかり取り付けるように通知する外部バッテリー装置装着通知手段（Ｓ３０１，Ｓ３０２，Ｓ３０３）
を持つことを特徴とする電子機器。
【請求項２】
前記外部バッテリー装置装着通知手段による通知後、
前記通信手段が電池と通信できた場合は電子機器の動作を継続し（Ｓ３０５，Ｓ３１２）、
前記通信手段が電池と通信できなかった場合は前記ユーザインタフェース手段を介して、ユーザに前記電池が純正品か否かについての認識を入力するように要求し（Ｓ３０５，Ｓ０６）、
前記ユーザが前記電池を純正品であると認識している旨を入力したときは、電子機器の動作を停止し（Ｓ３０７，Ｓ３１３）、
純正部品でないと認識している旨を入力したときは前記ユーザインタフェース手段を介して、ユーザに前記電池を使用するか否かを入力するように要求し（Ｓ３０７、Ｓ３０８）、前記電池を使用する旨を入力したときは電子機器の動作を継続し（Ｓ３１１，Ｓ３１２）、前記電池を使用しない旨を入力したときは電子機器の動作を停止する（Ｓ３１１，Ｓ３１３）ことを特徴とする請求項１に記載の電子機器。
【発明の詳細な説明】
【技術分野】
【０００１】
本発明は、電池により駆動する電子機器およびその制御方法に関する。
【背景技術】
【０００２】
近年、模倣電池の使用が原因とされる電子機器の不調や故障が報告されている。ここでの模倣電池とは、メーカの純正部品であるかのように偽った違法な電池を意味し、いわゆるサードパーティー製の電池は含まない。模倣電池は、純正部品であれば組み込まれている一定の品質基準を満たした保護装置や保護部品が組み込まれていない場合がある。そのため、温度上昇などにより不調や故障を引き起こすことがある。
【０００３】
しかし、このような模倣電池は、あたかも純正部品であるかのように偽って市場で販売されているため、ユーザが電池を購入する際に、メーカ純正部品の電池と模倣電池とを正確に見分けることは簡単なことではない。従って純正部品の電池を購入しようとしたユーザが誤って模倣電池を購入してしまうことも少なくなく、ユーザが模倣電池であることに気付かないまま使用するケースがある。そのため模倣電池による電子機器の不調や故障を未然に防ぐ対策が望まれる。
【０００４】
特許文献１には、可搬電子機器に装着された電池が純正品か否かを判別する認証機能を使用して、電池が純正品でない場合や模倣品である場合に、警告の表示、電池の使用制限をする方法が開示されている。
【先行技術文献】
【特許文献】
【０００５】
【特許文献１】特開２００７−２８２４７１号公報
【発明の概要】
【発明が解決しようとする課題】
【０００６】
しかしながら、上記特許文献１では電子機器本体に装着された電池に関しては考慮されているが、電子機器に取り付ける外部バッテリー装置に装着された電池に関しては考慮されていない。
【０００７】
そこで、本発明の目的は、電子機器本体に装着された電池だけでなく、電子機器に取り付ける外部バッテリー装置に装着された電池に関しても、模倣電池の使用による不調や故障を未然に防ぐ電子機器を提供することにある。
【課題を解決するための手段】
【０００８】
上記目的を達成するために、本発明は、電池の電力で動作可能な構成を有し、外部バッテリー装置を装着可能な電子機器であって、外部バッテリー装置が装着されていることを検知する検知手段と、電池と通信を行う通信手段と、ユーザインタフェース手段と、を備え、前記検知手段が外部バッテリー装置との装着を検知しても、前記通信手段が電池と通信できない場合は、前記ユーザインタフェース手段を介して、ユーザに外部バッテリー装置をしっかり取り付けるように通知する外部バッテリー装置装着通知手段を持つことを特徴とする。
【発明の効果】
【０００９】
本発明によれば、電子機器本体に装着された電池だけでなく、電子機器に取り付ける外部バッテリー装置に装着された電池に関しても、模倣電池の使用による不調や故障を未然に防ぐ電子機器を提供することができる。
【図面の簡単な説明】
【００１０】
【図１】本発明の撮像装置の一例としてのデジタルカメラの外観図である。
【図２】本実施形態による、デジタルカメラ１００の構成例を示すブロック図である。
【図３】本実施形態による、電池の品質を適切に判断しその品質に応じて電池に関する制御を実行する動作手順の一例を示すフローチャートである。
【図４】本実施形態による、外部バッテリー装置をしっかり取り付けることを促すメッセージ表示の一例である。
【図５】本実施形態による、電池通信エラーである旨と、装着している電池が純正品か否かの認識を入力するように要求するメッセージ表示の一例である。
【図６】本実施形態による、非純正品電池に関するメッセージと、装着している電池を使用するか否かを入力するように要求するメッセージ表示の一例である。
【図７】本実施形態による、模倣品電池に関するメッセージ表示の一例である。
【発明を実施するための形態】
【００１１】
以下、図面を参照して本発明の好適な実施形態を説明する。
【実施例１】
【００１２】
図１に本発明の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブルとデジタルカメラ１００とのコネクタである。操作部７０はユーザからの各種操作を受け付ける各種スイッチ、ボタン、タッチパネル等の操作部材より成る操作部である。
【００１３】
タッチホイール７３は操作部７０に含まれるタッチ操作可能な操作部材である。７２は電源スイッチであり、電源オン、電源オフを切り替える。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。外部バッテリー装置３００は電池を格納するためのものである。外部バッテリー装置３００はデジカメカメラ１００と接続すると、デジタルカメラ１００に電力を供給する。
【００１４】
図２は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。Ａ／Ｄ変換器２３からの出力データは、画像処理部２４及びメモリ制御部１５を介して、或いは、メモリ制御部１５を介してメモリ３２に直接書き込まれる。
【００１６】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。
【００１７】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。
【００２１】
モード切替スイッチ６０、第１シャッタースイッチ６２、第２シャッタースイッチ６４、操作部７０はシステム制御部５０に各種の動作指示を入力するための操作手段である。
【００２２】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアル露出モード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２６】
タッチホイール７３は、操作部７０に含まれるタッチ操作可能な操作部材であり、方向ボタンと共に選択項目を指示する際などに使用される。タッチホイール７３は、タッチセンサよりなる操作部材で、タッチホイール７３自体は回転せず、タッチホイール７３上でのユーザの指の回転動作などを検出する。タッチホイール７３をタッチ操作すると、タッチ操作に応じて電気的なパルス信号が発生し、このパルス信号に基づいてシステム制御部５０はデジタルカメラ１００の各部を制御する。このパルス信号によって、タッチホイール７３がタッチ操作された方向や、何回転したかなどを判定することができる。なお、タッチホイール７３はタッチ操作が検出できる操作部材であればどのようなものでもよい。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
電源部（電池）３０、３０１は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。外部バッテリー装置３００は、電池を格納するためのものであり、電源制御部８０と通信する。
【００２９】
以下、図３を参照して、本発明の実施例による、電池の品質を適切に判断しその品質に応じて電池に関する制御を実行する動作について説明する。図３は本実施形態において、電池の品質を適切に判断しその品質に応じて電池に関する制御を実行する動作手順の一例を示すフローチャートである。
【００３０】
Ｓ３０１では、システム制御部５０は、電源制御部８０を介して、外部バッテリー装置が装着されているか否かを確認する。外部バッテリー装置が装着されている場合は、Ｓ３０２に進み、外部バッテリー装置が装着されていない場合は、Ｓ３０５に進む。
【００３１】
Ｓ３０２では、システム制御部５０は、電源制御部８０を介して、外部バッテリー装置と電池通信が正常に行えるか否かを確認する。電池通信を正常に行える場合は、Ｓ３１２に進み、電池通信が正常に行えない場合は、Ｓ３０３に進む。
【００３２】
Ｓ３０３では、システム制御部５０は、表示部２８に、ユーザに外部バッテリー装置をしっかり取り付けることを促すメッセージを表示する。図４は、このメッセージの表示例である。
【００３３】
Ｓ３０４では、システム制御部５０は、操作部７０を介して、ユーザが外部バッテリー装置をしっかり取り付けた旨を入力したことを確認する。
【００３４】
Ｓ３０５では、システム制御部５０は、電源制御部８０を介して、外部バッテリー装置もしくは電子機器本体と電池通信が正常に行えるか否かを確認する。電池通信を正常に行える場合は、Ｓ３１２に進み、バッテリー通信が正常に行えない場合は、Ｓ３０６に進む。
【００３５】
Ｓ３０６では、システム制御部５０は、表示部２８に、電池通信エラーである旨と、装着している電池が純正品か否かの認識を入力するように要求するメッセージを表示する。図５は、これらメッセージの表示例である。
【００３６】
Ｓ３０７では、システム制御部５０は、操作部７０を介して、ユーザによる電池が純正品か否かの認識についての入力を確認する。ユーザが電池を純正品であると認識している旨を入力した場合は、Ｓ３０９に進み、ユーザが電池を純正品でないと認識している旨を入力した場合は、Ｓ３０８に進む。
【００３７】
Ｓ３０８では、システム制御部５０は、表示部２８に、非純正品電池に関するメッセージと、装着している電池を使用するか否かを入力するように要求するメッセージとを表示する。図６は、これらメッセージの表示例である。
【００３８】
Ｓ３０９では、システム制御部５０は、表示部２８に、模倣品電池に関するメッセージを表示する。図７は、このメッセージの表示例である。
【００３９】
Ｓ３１０では、システム制御部５０は、操作部７０を介して、ユーザが＜はい＞を意味する入力を行ったことを確認する。
【００４０】
Ｓ３１１では、システム制御部５０は、操作部７０を介して、ユーザによる、装着している電池を使用するか否かの入力を確認する。ユーザが装着している電池を使用する旨を入力した場合は、Ｓ３１２に進み、ユーザが装着している電池を使用しない旨を入力した場合は、Ｓ３１３に進む。
【００４１】
Ｓ３１２では、システム制御部５０は、電子機器の動作を継続する。
【００４２】
Ｓ３１３では、システム制御部５０は、電気機器の動作を停止する。
【００４３】
以上のように、第１の実施例によれば、電子機器本体に装着された電池だけでなく、電子機器に取り付ける外部バッテリー装置に装着された電池に関しても、模倣電池の使用による不調や故障を未然に防ぐことができる。
【００４４】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４５】
１００  デジタルカメラ、２２  撮像部、２３  Ａ／Ｄ変換機、２４  画像処理部、
２８  表示部、５０  システム制御部、７０  操作部、２００  記憶媒体、
３００  外部バッテリー装置
【図１】
2016054615.tif 000003
【図２】
2016054615.tif 000004
【図３】
2016054615.tif 000005
【図４】
2016054615.tif 000006
【図５】
2016054615.tif 000007
【図６】
2016054615.tif 000008
【図７】
2016054615.tif 000009